(57)【特許請求の範囲】
【請求項１】
第１の基板と、
前記第１の基板に対向して配置された弾力性を有する光透過性の第２の基板と、
前記第１の基板と前記第２の基板との間に封入されたコレステリック液晶と、
前記第１の基板の前記液晶側の面に形成された第１の電極と、
前記第２の基板の前記液晶側の面に形成された光透過性の第２の電極と、
前記第１の基板と前記第２の基板との間に配置されて画素領域を画定する複数の隔壁構造体とを有し、
前記画素領域は、前記隔壁構造体の隙間を介して隣接する画素領域につながっていることを特徴とする圧力書き込み型表示装置。
【請求項２】
前記第１の基板及び前記第１の電極がいずれも光透過性であり、前記第１の基板の前記液晶と反対側の面に光吸収層が設けられていることを特徴とする請求項１に記載の圧力書き込み型表示装置。
【請求項３】
前記第１の電極が前記第１の基板の前記液晶側の面全体に形成され、前記第２の電極が前記第２の基板の前記液晶側の面全体に形成されていることを特徴とする請求項１に記載の圧力書き込み型表示装置。
【請求項４】
前記第１の基板の前記液晶側の面に前記第１の電極として第１の方向に延びる複数の帯状の電極が相互に平行に形成され、前記第２の基板の前記液晶側の面に前記第２の電極として前記第１の方向に交差する第２の方向に延びる複数の帯状の電極が相互に平行に形成されていることを特徴とする請求項１に記載の圧力書き込み型表示装置。
【請求項５】
画像表示が可能な第１の表示パネルと、前記第１の表示パネルの前面に配置された第２の表示パネルとを有し、
前記第２の表示パネルが、
第１の基板と、
前記第１の基板に対向して配置された弾力性を有する光透過性の第２の基板と、
前記第１の基板と前記第２の基板との間に封入されたコレステリック液晶と、
前記第１の基板の前記液晶側の面に形成された第１の電極と、
前記第２の基板の前記液晶側の面に形成された光透過性の第２の電極と、
前記第１の基板と前記第２の基板との間に配置されて画素領域を画定する隔壁構造体とにより構成され、前記画素領域は、前記隔壁構造体の隙間を介して隣接する画素領域につながっていることを特徴とする圧力書き込み型表示装置。
【発明の詳細な説明】
【技術分野】
【０００１】
本発明は、ペンなどを用いて文字等を容易に追記できる圧力書き込み型表示装置に関し、特に電子ペーパーへの応用に好適なコレステリック液晶を用いた圧力書き込み型表示装置に関する。
【背景技術】
【０００２】
今後、電力を供給しなくても表示の保持が可能で、表示内容を電気的に書き換え可能な電子ペーパーが急速に普及するものと予想されている。電子ペーパーには、電源を切断してもメモリー表示可能な超低消費電力と目に優しく疲れない表示とが要求され、紙のようにフレキシブルで薄型の表示装置の実現を目指して研究が進められている。電子ペーパーの応用としては、電子ブック、電子新聞及び電子ポスター等が考えられている。
【０００３】
電子ペーパーは、表示方式の違いにより、電気泳動方式、ツイストボール方式、電気化学方式、液晶表示装置及び有機ＥＬ表示装置などに分類される。電気泳動方式の電子ペーパーは、帯電粒子を空気中や液体中で移動させて画像（文字及び記号等を含む。以下、同じ）を表示する。ツイストボール方式の電子ペーパーは、二色に色分けされた帯電粒子を回転させて画像を表示する。電気化学方式の電子ペーパーは、エレクトロクロミックやエレクトロデポジションで知られるように、電界を印加した際に電気化学反応により着色及び消色、又は変色するような材料を電極間に挟んだ構造の表示装置である。有機ＥＬ表示装置（有機エレクトロ・ルミネッセンス表示ディスプレイ）は、有機材料からなる複数の薄膜を陰極と陽極で挟み込んだ構造の自発光型のディスプレイである。液晶表示装置は、画素電極と対向電極との間に液晶層を挟み込んだ構造を有する非自発光型のディスプレイである。
【０００４】
カラー表示において圧倒的に有利なのが液晶表示装置である。その中でも、電子ペーパーへの応用に関してはコレステリック液晶を用いた液晶表示装置が有利である。コレステリック液晶は、電圧により液晶状態を干渉反射モード（プレナー状態）と透過モード（フォーカルコニック状態）とに切り換えることができ、電場を除去してもその前の状態（プレナー状態又はフォーカルコニック状態）が長時間保持されるため、無電源でも画像の表示が可能である。また、赤色（Ｒ）、緑色（Ｇ）及び青色（Ｂ）の３色の表示パネルを重ね合わせ、背面に黒色の光吸収層を設けたコレステリック液晶方式のカラー表示装置が開発されている。この表示装置では、全ての表示パネルを透過モードとすれば全面に黒が表示され、必要な色の表示パネルを干渉反射モードとすれば、カラー表示が可能になる。
【０００５】
ところで、電子ペーパーでは、電源を切断しても表示が保持されるというメモリー性を有することに加え、ペンなどを用いて文字等を追記する機能が求められることが多い。この種の要求に応えるべく、前面にタッチパネルを配置した表示装置が開発されている。しかし、この種の表示装置では、ペンが接触した位置を検出する手段が必要となるだけでなく、書き込み操作中に表示を書き換える必要があり、ハードウェア及びソフトウェアが複雑になって製品コストが上昇する。また、パッシブマトリクス駆動の表示装置のように１画面の表示に比較的長い時間が必要な表示装置では、ペンの動きに表示が追従することができず、操作性が極めて悪いものになってしまう。
【０００６】
特許文献１には、全面を書き換えるのではなく、ペンでなぞった部分の位置を検出し、その部分の画素のみに電圧を印加してペンの軌跡を表示することが提案されている。しかしながら、この場合も、ハードウェア及びソフトウェアが複雑になり、製品コストを低減することは困難である。
【０００７】
その他、本発明に関係すると思われる従来技術として、特許文献２〜４及び非特許文献１に記載されたものがある。特許文献２には、コレステリック液晶表示装置において外部からの衝撃により表示むらや色むらが発生することを防止することを目的とし、リソグラフィ法により形成した隔壁によって各画素領域を分離した構造が記載されている。特許文献３には、第１の基板上に樹脂前駆体を塗布した後、液晶（コレステリック液晶）を滴下し、樹脂前駆体及び液晶の上に第２の基板を設け、その後樹脂前駆体を硬化させて樹脂隔壁を形成することが記載されている。特許文献４には、第１の基板上に隔壁を格子状に形成した後、隔壁で囲まれた部分にインクジェット方式により液晶（コレステリック液晶）を注入し、その後第２の基板を貼合わせて形成した液晶表示装置が記載されている。非特許文献１には、コレステリック液晶を用いたカラー電子ペーパーが記載されている。
【特許文献１】特開２００４−２９３９９号公報
【特許文献２】特開２００１−３０５５５１号公報
【特許文献３】特開平１１−３８３９３号公報
【特許文献４】特開２０００−２６７１４２号公報
【非特許文献１】吉原他、“カラー電子ペーパー”, FUJITSU.57,3,p.302-306(05,2006)
【発明の開示】
【発明が解決しようとする課題】
【０００８】
前述したように、文字等を追記する機能を備えた従来の表示装置では、ペン等の位置を検出して書き込み操作中に表示を書き換える必要があるため、ハードウェアやソフトウェアが複雑になり、製品コストの上昇を招くという問題がある。
【０００９】
以上から、本発明の目的は、ペンなどを用いて容易に追記することが可能であり、複雑なハードウェアやソフトウェアを必要としない圧力書き込み型表示装置を提供することである。
【課題を解決するための手段】
【００１０】
本発明の一観点によれば、第１の基板と、前記第１の基板に対向して配置された弾力性を有する光透過性の第２の基板と、前記第１の基板と前記第２の基板との間に封入されたコレステリック液晶と、前記第１の基板の前記液晶側の面に形成された第１の電極と、前記第２の基板の前記液晶側の面に形成された光透過性の第２の電極と、前記第１の基板と前記第２の基板との間に配置されて画素領域を画定する複数の隔壁構造体とを有し、前記画素領域は、前記隔壁構造体の隙間を介して隣接する画素領域につながっている圧力書き込み型表示装置が提供される。
【００１１】
コレステリック液晶は、液晶に印加する電界強度を調整することにより、特定の波長の光を反射するプレナー状態、光を透過するフォーカルコニック状態、又はそれらの中間的な状態をとる。また、フォーカルコニック状態のときに液晶に圧力を印加すると、液晶がプレナー状態に変化する。本発明は、このようなコレステリック液晶の性質を利用して、圧力書き込み型表示装置を実現する。
【００１２】
本発明においては、第１の基板と第２の基板との間に画素領域を画定する複数の隔壁構造体を設けている。そして、１つの画素領域は、隔壁構造体の隙間を介して隣接する画素領域につながっている。仮に、隔壁構造体がないとすると、圧力を印加した部分の液晶が広範囲に流動して、書き込んだ文字等が激しくにじみ、判読が困難になる。従って、液晶の流動を制限する隔壁構造体が必要である。この場合、隔壁構造体に隙間がなく、液晶が画素領域内に密封されているとすると、液晶に十分な圧力を印加することが困難になり、液晶をフォーカルコニック状態からプレナー状態に変化させることができなくなる。このため、隔壁構造体間には液晶がある程度流動できる隙間が必要である。
【００１３】
上記のように一対の基板間にコレステリック液晶を封入したパネルを書き込み用パネルとし、この書き込み用パネルとは別に表示用パネルを用意して、これらの書き込み用パネルと表示用パネルとを重ね合わせて圧力書き込み型表示装置としてもよい。表示用パネルとしては、一般的なＴＮ型液晶表示装置や有機ＥＬ表示装置、又は電気泳動方式、ツイストボール方式、電気化学方式、又はコレステリック液晶方式の表示装置を使用することができる。
【００１４】
上記した圧力書き込み型表示装置は、例えば、第１の基板上に第１の導電膜を形成する工程と、弾力性を有しかつ光透過性の第２の基板の上に光透過性の第２の導電膜を形成する工程と、前記第１の基板の前記第１の導電膜形成側の面上にレジスト膜を形成し、該レジスト膜をパターニングしてマトリクス状に配列した隔壁構造体を形成する工程と、前記第１の基板と前記第２の基板とを、前記第１の導電膜形成側の面と前記第２の導電膜形成側の面とを内側にして接合する工程と、熱処理を施して前記隔壁構造体を前記第２の基板に接合する工程と、前記第１の基板と前記第１の基板との間にコレステリック液晶を封入する工程とを経て製造することができる。
【００１５】
また、上記した圧力書き込み型表示装置は、第１の基板上に第１の導電膜を形成する工程と、弾力性を有しかつ光透過性の第２の基板の上に光透過性の第２の導電膜を形成する工程と、前記第１の基板と前記第２の基板とを前記第１の導電膜形成側の面と前記第２の導電膜形成側の面とを対向させて配置し、前記第１の基板と前記第２の基板との間に光硬化性樹脂の前駆体であるモノマー又はオリゴマーと、重合開始剤とを含有するコレステリック液晶を封入する工程と、所定のパターンが設けられたマスクを介して前記第１の基板及び前記第２の基板間に封入された前記液晶に光を照射して前記モノマー又はオリゴマーを硬化させ、前記第１の基板及び前記第２の基板間に前記所定のパターンの構造体を形成する工程とを経て製造することができる。
【発明を実施するための最良の形態】
【００１６】
以下、本発明の実施形態について、添付の図面を参照して説明する。
【００１７】
（Ａ）第１の実施形態
図１は本発明の第１の実施形態に係る圧力書き込み型表示装置を示す平面図、図２は図１のＩ−Ｉ線の位置における断面図である。
【００１８】
図２に示すように、本実施形態に係る圧力書き込み型表示装置１０は、相互に対向して配置された下基板（第１の基板）１１と上基板（第２の基板）１３との間にコレステリック液晶１５を封入した構造を有している。下基板１１はガラス又は樹脂フィルム等により形成されている。表示装置にフレキシブルであることが要求される場合、下基板１１はフレキシブルな樹脂フィルムにより形成されていることが必要となる。一方、上基板１３は、ペン等により圧力が加えられたときに変形する程度の弾力性と、ペン等で圧力を加えられたときに破損しない耐久性とを有する樹脂フィルムにより形成されている。
【００１９】
これらの下基板１１及び上基板１３は、図１に示すように基板１１，１３の縁部に沿って塗布されたシール材１７により接合されている。なお、１７ａは基板１１，１３間に液晶１５を注入するときの液晶注入口である。この液晶注入口１７ａは、液晶注入後に封止樹脂により封止される。
【００２０】
下基板１１の液晶１５側の面には透明電極１２が形成されており、上基板１３の液晶１５側の面には透明電極１４が形成されている。これらの透明電極１２，１４は、ＩＴＯ（Indium-Tin Oxide）等の透明導電材料により形成され、図示しない電子回路を介して電源２０から所定の電圧を印加することができるようになっている。
【００２１】
下基板１１及び上基板１３の間の空間は、図１に示すようにマトリクス状に配列した十字状の隔壁構造体１６により、複数の画素領域に分割されている。これらの隔壁構造体１６の上部及び下部は、下基板１１及び上基板１３に接合されている。１つの画素領域はほぼ正方形であり、４つの隔壁構造体１６に囲まれている。また、画素領域内の空間は、各隔壁構造体１６の間の隙間（開口部）１６ａを介して隣接する画素領域内の空間とつながっている。本実施形態においては、図１に示すように１つの画素領域内の空間は、開口部１６ａを介して上下左右に隣接する４つの画素領域内の空間とつながっている。
【００２２】
下基板１１の液晶１５と反対側の面（図２では下側の面）には、黒色の光吸収層１８が設けられている。この光吸収層１８は、例えば黒色顔料を含む樹脂を塗布して形成される。光吸収層１８として、黒色の樹脂フィルムを下基板１１に貼り付けてもよい。
【００２３】
以下、コレステリック液晶について説明する。コレステリック液晶は、ネマティック液晶にカイラル材を比較的大量（数十重量％）に添加したものである。ネマティック液晶にカイラル材を大量に添加すると、ネマティック液晶分子を強く螺旋状にねじったコレステリック相を形成することができる。
【００２４】
コレステリック液晶は双安定性（メモリー性）を備えており、液晶に印加する電界強度の調整により、特定の波長の光を反射するプレナー状態、光を透過するフォーカルコニック状態、及びそれらの中間的な状態のいずれかの状態をとることができる。一旦プレナー状態、フォーカルコニック状態、又はそれらの中間的な状態になると、その後は電圧無印加状態においても安定してその状態を維持できる。図３（ａ）にプレナー状態のおける液晶分子の配向状態を模式的に示し、図３（ｂ）にフォーカルコニック状態における液晶分子の配向状態を模式的に示す。
【００２５】
図３（ａ）のようにプレナー状態のときは、液晶分子は基板厚方向に順次回転して螺旋構造を形成し、螺旋構造の軸は基板面にほぼ垂直になる。このとき、液晶分子の螺旋ピッチに応じた特定の波長の光が液晶層で選択的に反射される。液晶層の平均屈折率をｎとし、螺旋ピッチをｐとすると、反射が最大となる波長λは、λ＝ｎ・ｐである。平均屈折率ｎは液晶材料及びカイラル材を選択することで調整可能であり、螺旋ピッチはカイラル材の含有率で調整可能である。
【００２６】
図３（ｂ）のようにフォーカルコニック状態のときは、液晶分子は基板面内方向に順次回転して螺旋構造を形成し、螺旋構造の軸は基板面にほぼ平行になる。フォーカルコニック状態では、入射光のほとんどが液晶層を透過する。プレナー状態とフォーカルコニック状態との中間の状態では、その状態に応じて反射光と透過光との割合が決まるので、反射光の強度を可変できる。
【００２７】
図４は、本実施形態の圧力書き込み型表示装置に文字等を書き込むときの状態を示す模式図である。初めに、電源２０（図２参照）から電極１１，１３間に所定の電圧を印加して、図４（ａ）に示すように全ての画素領域の液晶をフォーカルコニック状態にする。この状態では、光は液晶１５を透過して光吸収層１８に到達し、光吸収層１８に吸収される。従って、黒表示となる。
【００２８】
次に、図４（ｂ）に示すようにペン又は指等で上基板１３を押すと、上基板１３が変形してその下の画素領域内の液晶１５に圧力が印加される。これにより、画素領域内の液晶１５がフォーカルコニック状態からプレナー状態に変化し、光を反射するようになる。従って、ペン又は指等で押した部分に色が付いて視認される。液晶１５への圧力の印加がなくなっても、図４（ｃ）に示すようにプレーナ状態が残り、光を反射する。表示装置に書き込まれた文字等は電極１１，１３間に所定の電圧を印加することにより消去され、表示装置に再度文字等を書き込むことができる。
【００２９】
ところで、隔壁構造体１６がないとすると、ペン又は指等で押圧した部分の液晶１５が広範囲に流動し、書き込んだ文字等が激しくにじんで判読が困難になる。例えば図５に示すように、十字状の隔壁構造体に替えて円柱状の構造体（スペーサ）２１が設けられているとすると、ペンの軌跡が大きくにじんでしまう。
【００３０】
これに対し、図６に示すように十字状の隔壁構造体１６で各画素領域を区切った場合は、隔壁構造体間１６の隙間（開口部１６ａ）から液晶が隣接する画素領域に流動して若干のにじみは発生するものの、にじみの程度は極めて小さく、細い線を描画することができる。
【００３１】
但し、開口部１６ａの幅が広すぎると液晶の流動を抑制する効果がなくなってしまう。また、開口部１６ａの幅が狭すぎると、液晶をプレナー状態にするのに必要な圧力が高くなり、書き込みが困難になる。従って、開口部１６ａの幅は適切に設定することが重要である。本願発明者らの実験では、１つの画素領域において、開口部１６ａの幅の合計を画素領域の周囲の長さの２〜２０％とすることにより、大きなにじみがなく文字等を書き込むことができることが判明している。例えば画素領域が１辺の長さが５０μｍの正方形であり、４つの辺にそれぞれ開口部１６ａが設けられている場合、４個の開口部１６ａの幅の合計長さを４〜４０μｍとすることが好ましい。
【００３２】
なお、開口部がない場合、又は１つの画素領域につき１つの開口部しかない場合は、上基板１３を介して液晶１６に十分な圧力を加えることが困難になり、書き込みができなくなる。このため、１つの画素領域につき開口部は２以上設けることが必要である。１つの画素領域につき開口部を２以上設ける場合は、それらの開口部の幅はすべて同じとしてもよく、相互に異なる幅としてもよい。但し、部分的に開口部が１つしかない画素領域を混在させてもよく、その場合は開口部が１つしかない画素領域の空間を開口部が２つ以上ある画素領域の空間に接続させる必要がある。
【００３３】
また、画素領域のサイズが小さすぎる場合も、上基板１３を介して液晶１６に十分な圧力を加えることが困難になる。本願発明者らの実験では、画素領域の１辺の長さは５０μｍ以上とすればよいことが判明している。
【００３４】
（第１の製造方法）
図７（ａ）〜（ｅ）は、上述した第１の実施形態の圧力書き込み型表示装置の第１の製造方法を工程順に示す断面図である。
【００３５】
まず、図７（ａ）に示すように、下基板１１及び上基板１３を用意し、これらの下基板１１及び上基板１３の上にスパッタ法により例えばＩＴＯを被着して、透明電極１２，１４を形成する。
【００３６】
上基板１３には、ペン等で押圧したときに変形する必要があるため、ヤング率が１００ＧＰａ以下の樹脂フィルム等を用いる。例えば、上基板１３として、ポリエチレンテレフタレート（ＰＥＴ)、ポリエチレンナフタレート（ＰＥＮ）、ポリエーテルサルファン（ＰＥＳ）、ポリサルフォン（ＰＳＦ）、又はゼオノア（日本ゼオン製）、ゼオネックス（日本ゼオン製）及びアートン（ＪＳＲ製）等のシクロオレフィン系樹脂からなるフィルムを使用することができる。
【００３７】
上基板１３の厚さが厚すぎると、ペン等で押圧したときの圧力が液晶に伝達されなくなってしまう。また、上基板１３の厚さが薄すぎると、ペン等で押圧したときに容易に破損してしまう。このため、上基板１３の厚さは、０．１ｍｍ以上、０．５ｍｍ以下とすることが好ましい。
【００３８】
下基板１１には、上基板１３と同様の樹脂フィルムを使用することができる。フレキシブルであることが要求されない場合は、下基板１１として石英ガラス、ソーダガラス及びホウケイ酸ガラス等のガラス板、金属又はセラミック等のヤング率が高い材料からなる板材を使用してもよい。
【００３９】
なお、図７（ａ）では図示していないが、下基板１１及び上基板１３の上（透明電極１２，１４の上）に、機能膜として絶縁膜又は配向膜を設けてもよい。絶縁膜はペン等で押圧したときに電極１２，１４間の短絡を防止するために設けるものである。下基板１１及び上基板１３の上に絶縁膜を設けることにより、この絶縁膜が基板１１，１３側から液晶１５へのガスの侵入を阻止するガスバリア層として機能して液晶の劣化が防止され、信頼性が向上するという効果もある。一方、配向膜は、液晶分子の配向を制御するために設けるものである。配向膜は、ポリイミド、ポリアミドイミド、ポリエーテルイミド、ポリビニルブチラール及びアクリル等の有機材料や、酸化シリコン又は酸化アルミニウム等の無機材料により形成することができる。
【００４０】
配向膜が上記の絶縁膜の機能を備えていてもよく、機能膜として絶縁膜及び配向膜を両方形成してもよい。機能膜の厚さ（絶縁膜及び配向膜の両方を形成した場合は合計の膜厚）は、１０ｎｍ〜２００ｎｍとすることが好ましい。機能膜の厚さが１０ｎｍ未満の場合は、機能膜としての効果が十分に発揮されない。一方、機能膜の厚さが２００ｎｍを超えると、電圧降下が生じるため駆動電圧を高くすることが必要となる。
【００４１】
透明電極１２，１４は、ＩＴＯ（Indium Tin Oxide：インジウム錫酸化物）、ＩＺＯ（Indium Zinc Oxide：インジウム亜鉛酸化物）、又は酸化錫等の透明導電材料により形成する。なお、透明電極として、アルミニウム又はシリコン等の金属からなる薄膜、又はアモルファスシリコン等の光導電性膜、ポリアニリン、ポリチオフェン、ＰＥＤＯＴ（ポリエチレンジオキシチオフェン）などの導電性高分子膜を使用することもできる。
【００４２】
次に、下基板１１の上にフォトレジスト膜を形成し、このフォトレジスト膜を所定の隔壁構造体パターンが設けられた露光マスクを介して露光する。その後、フォトレジスト膜を現像処理して、図７（ｂ）に示すようにマトリクス状に配列したフォトレジストからなる十字形の隔壁構造体１６を形成し、画素領域を画定する。隔壁構造体１６の高さは、例えば３〜６μｍとする。
【００４３】
本例では隔壁構造体１６の高さによりセルギャップ（下基板１１と上基板１３との間隔）が決まる。セルギャップが３μｍ未満の場合はプレナー状態における液晶の反射率が低くなる。また、セルギャップが８μｍを超えると駆動電圧を高くすることが必要となる。このため、セルギャップが３μｍ以上、８μｍ以下となるようにフォトレジスト膜の厚さを設定することが好ましい。
【００４４】
また、隔壁構造体１６を構成する壁の線幅を細くするほど、画素領域が大きくなって明度の高い表示が得られるので好ましい。しかし、隔壁構造体１６を構成する壁の線幅が極端に細くなると、隔壁構造体１６と下基板１１又は上基板１３との接着力が低下するため、製造時や使用時に隔壁構造体１６と下基板１１又は上基板１３との間が剥がれて、表示不良の原因となる。従って、隔壁構造体１６を構成する壁の線幅は、剥がれが発生しない程度とすることが必要であり、例えば５〜２０μｍとすることが好ましい。
【００４５】
次に、図７（ｃ）に示すように、下基板１１の縁部に沿ってシール材１７を塗布する。但し、液晶注入口１７ａ（図１参照）となる部分にはシール材を塗布しないでおく。その後、図７（ｄ）に示すように、下基板１１と上基板１２とを、透明電極１２，１４が形成された面を向かい合わせて貼合わせる。以後、下基板１１及び上基板１２を貼合わせた状態の構造物をパネルＰという。
【００４６】
次に、パネルＰを熱処理装置内に載置し、所定の温度で熱処理してシール材１７を硬化させる。この熱処理工程において、フォトレジストからなる隔壁構造体１６が一旦軟化した後に硬化し、隔壁構造体１６と上基板１３とが接合される。
【００４７】
次に、パネルＰを真空チャンバ（図示せず）内に入れ、公知の真空注入法により液晶注入口１７ａ（図１参照）からパネルＰ内に液晶（室温でコレステリック相を示す液晶）を注入する。その後、パネルＰを真空チャンバから取り出し、２枚の平板に挟んで余分な液晶を除去した後、液晶注入口１７ａを樹脂で封止する。
【００４８】
本実施形態に使用する液晶（液晶組成物）は、ネマティック液晶混合物にカイラル材を１０〜４０ｗｔ％添加してなるコレステリック液晶を用いる。但し、カイラル材の添加率は、ネマティック液晶成分とカイラル材との合計を１００ｗｔ％としたとき値である。ネマティック液晶成分とカイラル材との配合比により、反射する光の色（波長）やその他の物性が決定される。
【００４９】
ネマティック液晶として公知のものを使用することができるが、駆動電圧を比較的低くするためには、誘電率異方性Δεが２０〜５０の範囲内であることが好ましい。また、コレステリック液晶の屈折率異方性Δｎが０．１８〜０．２４の範囲内であることが好ましい。屈折率異方性Δｎが０．１８未満であると、プレナー状態における液晶の反射率が低くなる。一方、屈折率異方性Δｎが０．２４を超えると、フォーカルコニック状態における散乱反射が大きくなるだけでなく、粘度も高くなり、応答速度が低下する。
【００５０】
次いで、図７（ｅ）に示すように、パネルＰの裏面側（下基板１１の背面）に黒色樹脂を塗布して光吸収層１８を形成する。これにより、第１の実施形態に係る圧力書き込み型表示装置が完成する。
【００５１】
（第２の製造方法）
図８（ａ）〜（ｄ）は、第１の実施形態の圧力書き込み型表示装置の第２の製造方法を工程順に示す模式断面図である。
【００５２】
第１の製造方法と同様にして、図８（ａ）に示すように下基板１１の上に透明電極１２を形成し、上基板１３の上に透明電極１４を形成する。その後、下基板１１の上に所望する電極間ギャップよりも若干大きめの球状スペーサを散布する。このとき、スペーサを所望する電極間ギャップよりも若干大きめとするのは、少なくとも片側の基板が弾力性を有するため、球状のスペーサが基板に食い込んで電極間ギャップがスペーサの直径よりも小さくなるためである。球状のスペーサの代わりに円筒状の樹脂又は無機酸化物からなるスペーサ（図示せず）を設置してもよい。また、下基板１１の縁部に沿ってシール材１７を塗布する。但し、液晶注入口１７ａ（図１参照）となる部分にはシール材を塗布しないでおく。
【００５３】
次に、図８（ｂ）に示すように、下基板１１と上基板１３とを透明電極１２，１４が形成された面を向かい合わせて接合した後、シール材１７を硬化させてパネルＰを形成する。この場合、下基板１１と上基板１３との間隔（セルギャップ）はスペーサの直径により決まる。
【００５４】
次に、パネルＰを真空チャンバ（図示せず）内に入れ、公知の真空注入法により液晶注入口１７ａ（図１参照）からパネルＰ内に室温でコレステリック相を示す液晶を注入する。但し、液晶中には、光硬化性の前駆体（例えば紫外線硬化性樹脂の前駆体）であるモノマー又はオリゴマーと、重合開始剤とを所定の比率で混合しておく。その後、パネルＰを真空チャンバから取り出し、２枚の平板に挟んで余分な液晶を除去した後、液晶注入口１７ａ（図１参照）を樹脂で封止する。なお、公知の滴下注入法により、下基板１１と上基板１３との間に液晶を封入してもよい。
【００５５】
次に、図８（ｃ）に示すように、所定の隔壁構造体のパターンが設けられたフォトマスク２３を介してパネルＰに光（紫外線）を照射する。この場合、コレステリック相を示す液晶のクリアリングポイント以上の温度（液晶が等方相となる温度）で光を照射する。これにより、光が照射された部分で樹脂モノマー又はオリゴマーが硬化し、液晶と樹脂とが相分離して所定の形状の隔壁構造体１６が形成される。この隔壁構造体１６の下部及び上部はそれぞれ下基板１１及び上基板１３に接合した状態となる。
【００５６】
次いで、図８（ｄ）に示すように、パネルＰの裏面側（下基板１１の背面）に黒色樹脂を塗布して光吸収層１８を形成する。これにより、第１の実施形態に係る圧力書き込み型表示装置が完成する。
【００５７】
（Ｂ）第２の実施形態
図９は、本発明の第２の実施形態に係る圧力書き込み型表示装置を示す模式断面図である。
【００５８】
本実施形態に係る圧力書き込み型表示装置は、表示用パネル５０の上に書き込み用パネル４０を重ね合わせた構造を有している。書き込み用パネル４０は、第１の実施形態で説明した圧力書き込み型表示装置（図１、図２参照）と同じ構造を有しており、ここではその説明を省略する。
【００５９】
表示用パネル５０には、例えばアクティブマトリクス型液晶表示パネルを使用することができる。また、表示用パネル５０として、有機ＥＬ表示パネル、又は電気泳動方式、ツイストボール方式、電気化学方式若しくはコレステリック液晶方式の電子ペーパーを用いてもよい。表示用パネル５０はカラー表示が可能なものであってもよく、モノクロ表示しかできないものであってもよい。モノクロ表示しかできない表示パネルの場合は、その表示色が書き込み用パネル４０の表示色と異なるものであることが好ましい。
【００６０】
表示用パネル５０と書き込み用パネル４０とは接着層（接着剤又は粘着剤）５１を介して接合されている。接着層５１は、書き込み用パネル４０の基板の屈折率及び表示用パネル５０の基板の屈折率と同程度の屈折率を有することが好ましい。これにより、書き込み用パネル４０と接着層５１との界面及び表示用パネル５０と接着層５１との界面での光の反射による損失を低減することができ、コントラストが高く明るい表示が得られる。
【００６１】
本実施形態の圧力書き込み型表示装置は、上述したように表示用パネル５０と書き込み用パネル４０とを重ね合わせて構成されているので、表示パネル５０に表示された画像と書き込みパネル４０に書き込まれた文字等を重ね合わせて表示することができる。すなわち、表示パネル５０に表示された画像の上に文字等を追記したり、追記した文字等のみを消去することができる。これにより、表示装置の利便性が著しく向上する。
【００６２】
（Ｃ）第３の実施形態
図１０は本発明の第３の実施形態に係る圧力書き込み型表示装置を示す模式平面図、図１１は同じくその圧力書き込み型表示装置の一部断面図である。本実施形態では、本発明をパッシブマトリクス駆動の表示装置に適用した例について説明する。
【００６３】
本実施形態に係る圧力書き込み型表示装置は、表示パネル３０と、制御回路４１と、データ電極駆動回路４２と、走査電極駆動回路４３とにより構成されている。また、表示パネル３０は、下基板３１と上基板３４との間にコレステリック液晶を封入した構造を有している。
【００６４】
第１の実施形態と同様に、下基板３１はガラス又は樹脂フィルム等により形成されており、上基板３４はペン等により圧力が加えられたときに変形する程度の弾力性を有する樹脂フィルムにより形成されている。下基板３１及び上基板３４は、それらの基板３１，３４の縁部に塗布されたシール材（図示せず）により接合されている。また、下基板３１の液晶と反対側の面には、黒色の光吸収層３９が設けられている。更に、下基板３１と上基板３４との間の空間は、マトリクス状に配列した十字状の隔壁構造体３８により複数の画素領域に分割されている。なお、図１０ではマトリクス状に配列した隔壁構造体３８のうちの一部のみを破線で表示している。
【００６５】
下基板３１の液晶側の面には、縦方向（図中のＸ方向）に延びる複数の帯状のデータ電極３２が横方向（図中のＹ方向）に一定の間隔で配列して形成されている。これらのデータ電極３２は、それぞれデータ電極駆動回路４２に電気的に接続されている。
【００６６】
一方、上基板３３の液晶側の面には、横方向（Ｙ方向）に延びる複数の帯状の走査電極３４が縦方向（Ｘ方向）に一定の間隔で配列して形成されている。これらの走査電極３４は、それぞれ走査電極駆動回路４３に電気的に接続されている。データ電極３２及び走査電極３３は、いずれもＩＴＯ等の透明導電材料により例えば２００μｍの幅で２４０μｍのピッチで形成されている。
【００６７】
本実施形態では、データ電極３２と走査電極３４とが交差する部分がそれぞれ画素領域に対応し、図１０に示すように隔壁構造体３８は画素領域（データ電極３３と走査電極３６とが交差する部分）を囲むように配置されている。１つの画素領域はほぼ正方形であり、４つの隔壁構造体３８に囲まれている。１つの画素領域内の空間は、各隔壁構造体３８間の隙間（開口部３８ａ）を介して上下左右に隣接する４つの画素領域内に空間とつながっている。
【００６８】
データ電極駆動回路４２は、例えばＴＣＰ（テープキャリアパッケージ）構造の汎用の液晶用データ電極ドライバＩＣにより構成され、制御回路４１から出力される信号に基づいて所定のデータ電極３２にデータ信号を出力する。また、走査電極駆動回路４３は、例えばＴＣＰ構造の汎用の液晶用走査電極ドライバＩＣにより構成され、制御回路４１から出力される信号に基づいて所定の走査電極３４に走査信号を出力する。
【００６９】
図１２は、コレステリック液晶をプレナー状態にするときにデータ電極３３及び走査電極３６に供給する信号を示すタイミングチャートである。また、図１３は、コレステリック液晶をフォーカルコニック状態にするときにデータ電極３３及び走査電極３６に供給する信号を示すタイミングチャートである。これらの図１２，図１３において、Ｖｄはデータ電極に供給されるデータ信号を示し、Ｖｓは走査電極に供給される走査信号を示し、Ｖｌｃは液晶に印加される電圧を示している。
【００７０】
また、図１４は、横軸にコレステリック液晶に印加される電圧をとり、縦軸にコレステリック液晶の反射率（相対値）をとって、コレステリック液晶の電圧−反射率特性の一例を示す図である。図１４中の実線Ｐは初期状態がプレナー状態におけるコレステリック液晶の電圧−反射率特性を示し、破線ＦＣは初期状態がフォーカルコニック状態におけるコレステリック液晶の電圧−反射率特性を示している。
【００７１】
ここでは、図１０に示す表示パネル３０の縦方向（Ｙ方向）にｎ個（ｎは自然数）、横方向（Ｘ方向）にｍ個（ｍは自然数）の画素領域が配列しているものとする。ＱＶＧＡ表示に対応する表示パネルの場合は、ｎ＝３２０、ｍ＝２４０となる。また、ここでは、第１列第１行目の画素領域を、画素領域（１，１）というように記載する。更に、ここでは、Ｔ１の期間に画素領域（１，１）の液晶に電圧を印加して液晶をプレナー状態又はコレステリック状態にするものとする。
【００７２】
第１列目の画素領域の液晶をプレナー状態にするときには、第１列目のデータ電極３２に、図１２に示すようにデータ信号Ｖｄとして１周期の前半が３２Ｖ、後半が０Ｖとなるパルス電圧（データ信号）が供給される。また、第１行目の走査電極３４から第ｎ番目の走査電極３４まで順番に走査信号Ｖｓが供給される。走査信号Ｖｓは、１周期の前半が０Ｖ、後半が３２Ｖとなるパルス電圧（走査信号）である。すなわち、画素領域（１，１）の選択期間Ｔ１には、第１列目のデータ電極３２に１周期の前半が３２Ｖ、後半が０Ｖとなるパルス電圧が供給され、第１行目の走査電極３４に１周期の前半が０Ｖ、後半が３２Ｖとなるパルス電圧が供給される。その結果、画素領域（１，１）の液晶には、選択期間Ｔ１に±３２Ｖの電圧が印加される。
【００７３】
その後、画素領域（１，２）の選択期間Ｔ２（第１列目の第２行目以降の画素領域の選択期間も同じ）になると、第１番目の走査電極３４には１周期の前半が２８Ｖ、後半が４Ｖとなるパルス電圧が供給される。一方、選択期間Ｔ２においても、第１列目のデータ電極３２には１周期の前半が３２Ｖ、後半が０Ｖとなるパルス電圧が供給される。従って、選択期間Ｔ２においては、画素領域（１，１）の液晶に±４Ｖの電圧が印加される。
【００７４】
図１４に示すように、コレステリック液晶に高電圧（この例では波高値３２Ｖの交流電圧）が印加されると、液晶分子の螺旋構造は完全にほどけて、当該画素領域内の液晶分子が電界の向きに従うホメオトロピック状態になる。液晶分子がホメオトロピック状態のときに液晶の印加電圧が±３２Ｖから±４Ｖに急激に変化して電界が減少すると、液晶分子は螺旋軸が電極３３，３６に対しほぼ垂直な方向に向く螺旋状態になり、螺旋ピッチに応じた波長の光を反射するプレナー状態になる。従って、画素領域（１，１）に入射した光のうち所定の波長の光が反射される。
【００７５】
選択期間Ｔ１以外の期間では、画素領域（１，１）の液晶には±４Ｖの電圧しか印加されないので、液晶はプレーナ状態を維持する。
【００７６】
画素領域（１，１）の液晶をフォーカルコニック状態にするときには、図１３に示すように、選択期間Ｔ１において、第１列目のデータ電極３２に１周期の前半が２４Ｖ、後半が８Ｖとなるパルス電圧（データ信号）が供給される。また、第１行目の走査電極３４に１周期の前半が０Ｖ、後半が３２Ｖとなるパルス電圧（走査信号）が供給される。従って、選択期間Ｔ１には、画素領域（１，１）の液晶に±２４Ｖの電圧が印加される。
【００７７】
その後、画素領域（１，２）の選択期間Ｔ２（第１列目の第２行目以降の画素領域の選択期間も同じ）になると、第１行目の走査電極３４には１周期の前半が２８Ｖ、後半が４Ｖのパルス電圧が供給される。一方、選択期間Ｔ２においても、第１列目のデータ電極３２には１周期の前半が２４Ｖ、後半が８Ｖのパルス電圧が供給される。従って、選択期間Ｔ２においては、画素領域（１，１）の液晶には±４Ｖの電圧が印加される。
【００７８】
図１４に示すように、コレステリック液晶に波高値が２４Ｖの交流電圧を供給すると、液晶分子の螺旋状態は完全にはほどけない状態になる。液晶分子の螺旋構造が完全にほどけない状態においてコレステリック液晶に対する印加電圧が２４Ｖから４Ｖに変化すると、液晶分子は螺旋軸が電極３３，３６に対しほぼ平行な方向に向く螺旋状態になり、入射光を透過するフォーカルコニック状態になる。従って、画素領域（１，１）に入射した光は液晶を透過し、光吸収層３９に吸収されて黒表示となる。
【００７９】
このようにして画素領域毎に液晶をプレナー状態、又はフォーカルコニック状態にすることにより、表示パネル３０に所望の画像（文字及び記号等を含む）を表示することができる。
【００８０】
なお、画素領域内の液晶をプレナー状態又はフォーカルコニック状態にする方法は上述した方法に限らず、例えば選択期間に±３２Ｖの電圧を印加した後、穏やかに電界を減少させても、コレステリック液晶をフォーカルコニック状態にすることができる。また、室温で電極３３，３６間に３０〜３５Ｖのパルス状電圧を例えば２０ｍｓ（ミリ秒）間だけ印加するとコレステリック液晶はプレナー状態になり、１５〜２２Ｖのパルス状電圧を例えば２０ｍｓ間だけ印加するとコレステリック液晶は良好なフォーカルコニック状態となる。更に、コレステリック液晶に中間的な強さの電界を印加した後、急激に電界を除去すると、プレナー状態とフォーカルコニック状態とが混在した状態となり、中間階調の表示が可能となる。
【００８１】
このようにして、本実施形態に係る圧力書き込み型表示装置は、制御部４１に与えられるデータに応じた画像等を表示することができる。また、表示パネル３０の表面をペン等でなぞることにより、表示パネル３０に表示された画像に文字等を追記することができる。
【００８２】
（Ｄ）第４の実施形態
図１５は、本発明の第４の実施形態に係る圧力書き込み型表示装置を示す模式断面図である。
【００８３】
本実施形態の圧力書き込み型表示装置は、青色の画像を生成するコレステリック液晶表示パネル６０Ｂと、緑色の画像を生成するコレステリック液晶表示パネル６０Ｇと、赤色の画像を生成するコレステリック液晶表示パネル６０Ｒとを、観察者側からこの順に重ね合わせて構成されている。表示パネル６０Ｒの背面には、黒色樹脂からなる光吸収層６２が配置されている。
【００８４】
表示パネル６０Ｒには電源６１ａから制御回路、走査電極駆動回路及びデータ電極駆動回路（いずれも図示せず）を介してデータ信号及び走査信号が供給される。また、表示パネル６０Ｇには電源６１ｂから制御回路、走査電極駆動回路及びデータ電極駆動回路（いずれも図示せず）を介してデータ信号及び走査信号が供給され、表示パネル６０Ｂには電源６１ｃから制御回路、走査電極駆動回路及びデータ電極駆動回路（いずれも図示せず）を介してデータ信号及び走査信号が供給される。なお、表示パネル６０Ｒ，６０Ｇ，６０Ｂの走査電極に共通の走査信号を供給するようにしてもよい。これにより、走査電極駆動回路が１つですみ、製品コストを削減することができる。
【００８５】
表示パネル６０Ｒ，６０Ｇ，６０Ｂの基本的な構造は、いずれも第３の実施形態と同様である（図１０、図１１参照）ので、ここではその説明を省略する。但し、少なくとも最上層の表示パネル６０Ｂの上基板は、ペン等で押圧したときにパネル内の液晶に圧力が伝達される程度の弾力性と、ペン等で押圧しても破損しない耐久性とが要求される。表示パネル６０Ｒ，６０Ｇの基板には、特に弾力性は要求されない。
【００８６】
本実施形態の圧力書き込み型表示装置は、赤色の画像を生成する表示パネル６０Ｒと、緑色の画像を生成する表示パネル６０Ｇと、青色の画像を生成する表示パネル６０Ｂとを重ね合わせて構成されているので、所望の画像をカラーで表示することができる。また、表示パネル６０Ｂの表面をペン等で押圧することにより、押圧した部分の表示パネル６０Ｒの液晶がフォーカルコニック状態からプレナー状態に変化する。これにより、表示された画像に文字等を追記することができる。
【００８７】
以下、本発明の諸態様を、付記としてまとめて記載する。
【００８８】
（付記１）第１の基板と、
前記第１の基板に対向して配置された弾力性を有する光透過性の第２の基板と、
前記第１の基板と前記第２の基板との間に封入されたコレステリック液晶と、
前記第１の基板の前記液晶側の面に形成された第１の電極と、
前記第２の基板の前記液晶側の面に形成された光透過性の第２の電極と、
前記第１の基板と前記第２の基板との間に配置されて画素領域を画定する複数の隔壁構造体とを有し、
前記画素領域は、前記隔壁構造体の隙間を介して隣接する画素領域につながっていることを特徴とする圧力書き込み型表示装置。
【００８９】
（付記２）前記第１の基板及び前記第１の電極がいずれも光透過性であり、前記第１の基板の前記液晶と反対側の面に光吸収層が設けられていることを特徴とする付記１に記載の圧力書き込み型表示装置。
【００９０】
（付記３）１つの画素領域につき、前記隔壁構造体間の隙間が２以上設けられていることを特徴とする付記１に記載の圧力書き込み型表示装置。
【００９１】
（付記４）１つの画素領域につき、前記隔壁構造体の隙間の合計の長さが、画素領域の周囲の長さの２％以上、２０％以下であることを特徴とする付記３に記載の圧力書き込み型表示装置。
【００９２】
（付記５）前記画素領域が、１辺の長さが５０μｍ以上の矩形であることを特徴とする付記１乃至３のいずれか１項に記載の圧力書き込み型表示装置。
【００９３】
（付記６）前記隔壁構造体が、前記第１の基板及び前記第２の基板の両方に接合していることを特徴とする付記１に記載の圧力書き込み型表示装置。
【００９４】
（付記７）前記第１の電極が前記第１の基板の前記液晶側の面全体に形成され、前記第２の電極が前記第２の基板の前記液晶側の面全体に形成されていることを特徴とする付記１に記載の圧力書き込み型表示装置。
【００９５】
（付記８）前記第１の基板の前記液晶側の面に前記第１の電極として第１の方向に延びる複数の帯状の電極が相互に平行に形成され、前記第２の基板の前記液晶側の面に前記第２の電極として前記第１の方向に交差する第２の方向に延びる複数の帯状の電極が相互に平行に形成されていることを特徴とする付記１に記載の圧力書き込み型表示装置。
【００９６】
（付記９）前記帯状の第１の電極と前記帯状の第２の電極とが交差する部分が、それぞれ画素領域に対応することを特徴とする付記８に記載の圧力書き込み型表示装置。
【００９７】
（付記１０）前記第１の基板のヤング率が１０ＧＰａ以上であることを特徴とする付記１に記載の圧力書き込み型表示装置。
【００９８】
（付記１１）前記第２の基板のヤング率が１０ＧＰａ以下であることを特徴とする付記１に記載の圧力書き込み型表示装置。
【００９９】
（付記１２）前記第２の基板の厚さが０．１ｍｍ以上、０．５ｍｍ以下であることを特徴とする付記１に記載の圧力書き込み型表示装置。
【０１００】
（付記１３）画像表示が可能な第１の表示パネルと、前記第１の表示パネルの前面に配置された第２の表示パネルとを有し、
前記第２の表示パネルが、
第１の基板と、
前記第１の基板に対向して配置された弾力性を有する光透過性の第２の基板と、
前記第１の基板と前記第２の基板との間に封入されたコレステリック液晶と、
前記第１の基板の前記液晶側の面に形成された第１の電極と、
前記第２の基板の前記液晶側の面に形成された光透過性の第２の電極と、
前記第１の基板と前記第２の基板との間に配置されて画素領域を画定する隔壁構造体とにより構成され、前記画素領域は、前記隔壁構造体の隙間を介して隣接する画素領域につながっていることを特徴とする圧力書き込み型表示装置。
【０１０１】
（付記１４）第１の基板上に第１の導電膜を形成する工程と、
弾力性を有しかつ光透過性の第２の基板の上に光透過性の第２の導電膜を形成する工程と、
前記第１の基板の前記第１の導電膜形成側の面上にレジスト膜を形成し、該レジスト膜をパターニングしてマトリクス状に配列した隔壁構造体を形成する工程と、
前記第１の基板と前記第２の基板とを、前記第１の導電膜形成側の面と前記第２の導電膜形成側の面とを内側にして接合する工程と、
熱処理を施して前記隔壁構造体を前記第２の基板に接合する工程と、
前記第１の基板と前記第１の基板との間にコレステリック液晶を封入する工程と
を有することを特徴とする圧力書き込み型表示装置の製造方法。
【０１０２】
（付記１５）第１の基板上に第１の導電膜を形成する工程と、
弾力性を有しかつ光透過性の第２の基板の上に光透過性の第２の導電膜を形成する工程と、
前記第１の基板と前記第２の基板とを前記第１の導電膜形成側の面と前記第２の導電膜形成側の面とを対向させて配置し、前記第１の基板と前記第２の基板との間に光硬化性樹脂の前駆体であるモノマー又はオリゴマーと、重合開始剤とを含有するコレステリック液晶を封入する工程と、
所定のパターンが設けられたマスクを介して前記第１の基板及び前記第２の基板間に封入された前記液晶に光を照射して前記モノマー又はオリゴマーを硬化させ、前記第１の基板及び前記第２の基板間に前記所定のパターンの構造体を形成する工程と
を有することを特徴とする圧力書き込み型表示装置の製造方法。
【図面の簡単な説明】
【０１０３】
【図１】図１は、本発明の第１の実施形態に係る圧力書き込み型表示装置を示す平面図である。
【図２】図２は、図１のＩ−Ｉ線の位置における断面図である。
【図３】図３（ａ）はプレナー状態のおける液晶分子の配向状態を模式的に示す図、図３（ｂ）はフォーカルコニック状態における液晶分子の配向状態を模式的に示す図である。
【図４】図４（ａ）〜（ｃ）は、第１の実施形態の圧力書き込み型表示装置に文字等を書き込むときの状態を示す模式図である。
【図５】図５は、十字状の隔壁構造体に替えて円柱状の構造体（スペーサ）が設けられている場合の問題点を示す図である。
【図６】図６は、十字状の隔壁構造体で各画素領域を区切った場合の効果を示す図である。
【図７】図７（ａ）〜（ｅ）は、第１の実施形態の圧力書き込み型表示装置の第１の製造方法を工程順に示す断面図である。
【図８】図８（ａ）〜（ｄ）は、第１の実施形態の圧力書き込み型表示装置の第２の製造方法を工程順に示す模式断面図である。
【図９】図９は、本発明の第２の実施形態に係る圧力書き込み型表示装置を示す模式断面図である。
【図１０】図１０は、本発明の第３の実施形態に係る圧力書き込み型表示装置を示す模式平面図である。
【図１１】図１１は、第３の実施形態に係る圧力書き込み型表示装置の一部断面図である。
【図１２】図１２は、コレステリック液晶をプレナー状態にするときにデータ電極及び走査電極に供給する信号を示すタイミングチャートである。
【図１３】図１３は、コレステリック液晶をフォーカルコニック状態にするときにデータ電極及び走査電極に供給する信号を示すタイミングチャートである。
【図１４】図１４は、コレステリック液晶の電圧−反射率特性の一例を示す図である。
【図１５】図１５は、本発明の第４の実施形態に係る圧力書き込み型表示装置を示す模式断面図である。
【符号の説明】
【０１０４】
１０…圧力書き込み型表示装置、
１１，１３，３１，３４…基板、
１２，１４…透明電極、
１５…コレステリック液晶、
１６，３８…隔壁構造体、
１７…シール材、
１８，３９…光吸収層、
２０，６１ａ，６１ｂ，６１ｃ…電源、
３０…表示パネル、
３２…データ電極、
４０…書き込み用パネル、
５０…表示用パネル、
４１…制御回路、
４２…走査電極駆動回路、
４３…データ電極駆動回路、
６０Ｒ，６０Ｇ，６０Ｂ…コレステリック液晶表示パネル。
【図１】
0004946754.tif 000002
【図２】
0004946754.tif 000003
【図３】
0004946754.tif 000004
【図４】
0004946754.tif 000005
【図５】
0004946754.tif 000006
【図６】
0004946754.tif 000007
【図７】
0004946754.tif 000008
【図８】
0004946754.tif 000009
【図９】
0004946754.tif 000010
【図１０】
0004946754.tif 000011
【図１１】
0004946754.tif 000012
【図１２】
0004946754.tif 000013
【図１３】
0004946754.tif 000014
【図１４】
0004946754.tif 000015
【図１５】
0004946754.tif 000016